(57)【要約】【課題】  中栓と封緘帯を一体に形成するとともに、不正な開封が行われたときに、封緘帯または中栓に開封された跡が残るようにした注出容器のキャップを提供すること。【解決手段】  容器本体の口筒部に被嵌する中栓と、蓋体とからなる注出容器のキャップであって、中栓は、注出筒と、容器本体の口筒部外周に係合する係合筒と、係合筒の下端に連設される肩壁と、肩壁の外縁に垂設される外壁と、外壁の外側下端に切断可能な複数の弱化片を介して連設される封緘帯とを具え、封緘帯は、側周の一部を切断可能な弱化部を残して切込まれ、封緘帯内周と外壁外周との間で蓋体の側周壁の下端部を挟み込み、蓋体の開封を防止するようにしたことを特徴とする。【選択図】  図１
2008273581.tif 000002
【特許請求の範囲】
【請求項１】
容器本体の口筒部に被嵌する中栓と、蓋体とからなる注出容器のキャップであって、
中栓は、注出筒と、容器本体の口筒部外周に係合する係合筒と、係合筒の下端に連設される肩壁と、肩壁の外縁に垂設される外壁と、外壁の外側下端に切断可能な複数の弱化片を介して連設される封緘帯とを具え、
封緘帯は、側周の一部を切断可能な弱化部を残して切込まれ、
封緘帯内周と外壁外周との間で蓋体の側周壁の下端部を挟み込み、蓋体の開封を防止するようにしたことを特徴とするキャップ。
【請求項２】
中栓の外壁外縁に、複数の係合突部を配設し、
蓋体の側周壁の下端部内周に、係合突部と係合する係合凹部が配設されていることを特徴とする請求項１記載のキャップ
【発明の詳細な説明】
【技術分野】
【０００１】
本発明は、キャップ、とくに容器本体の口筒部に被嵌する中栓と、蓋体とからなる注出容器のキャップに関するものである。
【背景技術】
【０００２】
食料液などを収納する容器本体の口筒部に、注出筒を設けた中栓と蓋体とからなる注出容器のキャップにおいて、故意または過失による不正な開封を防止するために、容器本体の肩部に蓋体を封緘する封緘帯を装着するようにしたキャップは従来より知られている（例えば、特許文献１参照）。
【特許文献１】特開２００６−２６４７１１号公報
【発明の開示】
【発明が解決しようとする課題】
【０００３】
しかしながら、従来の容器は、封緘帯（ＴＥバンド）自体を外した後、容器本体に蓋体を装着しても、封緘帯の開封の跡がはっきり残らず、消費者が故意または過失による開封の事実を確認することができなかった。
また、中栓と封緘帯が別体であり、部品数が増えるという問題があった。
【０００４】
本発明は、上記の問題を解決することを課題とし、中栓と封緘帯を一体に形成するとともに、不正な開封が行われたときに、封緘帯または中栓に開封された跡が残るようにした注出容器のキャップを提供することを目的とする。
【課題を解決するための手段】
【０００５】
本発明は、上記の課題を解決するため、注出容器のキャップとして、容器本体の口筒部に被嵌する中栓と、蓋体とからなる注出容器のキャップであって、中栓は、注出筒と、容器本体の口筒部外周に係合する係合筒と、係合筒の下端に連設される肩壁と、肩壁の外縁に垂設される外壁と、外壁の外側下端に切断可能な複数の弱化片を介して連設される封緘帯とを具え、封緘帯は、側周の一部を切断可能な弱化部を残して切込まれ、封緘帯内周と外壁外周との間で蓋体の側周壁の下端部を挟み込み、蓋体の開封を防止するようにしたことを特徴とする構成を採用する。
【０００６】
中栓と外蓋の係合のために、中栓の外壁外縁に、複数の係合突部を配設し、蓋体の側周壁の下端部内周に、係合突部と係合する係合凹部が配設されていることを特徴とする構成を採用する。
【発明の効果】
【０００７】
本発明は、中栓の肩壁の外縁に垂設される外壁の外側下端に、側周の一部を切断可能な弱化部を残して切込まれた封緘帯を、切断可能な複数の弱化片を介して連設したので、中栓と封緘帯とを一体に形成することができる。
また、外壁と封緘帯との間で蓋体の側周壁の下端部を挟み込み、蓋体の開封を防止しているので、開蓋すると、封緘帯の弱化部、および外壁と封緘帯との間の弱化片が切断されて跡が残り、消費者が不正な開封の事実を確認することができる。
【発明を実施するための最良の形態】
【０００８】
次に、本発明のキャップの実施形態について、図面を参照して説明する。
図１において、Ａは断面が角形の容器本体、Ｂは容器本体Ａの口筒部に装着される中栓、Ｃは蓋体である。
容器本体Ａは、断面が円形の口筒部１と、口筒部１下端から連設され、断面が角形に形成される肩部２とを具えており、口筒部１には、上部外周に係合部３が設けられ、肩部２には、下部外周に段部４が設けられている。
【０００９】
中栓Ｂは、図１、２に示すように、注出筒５と、注出筒５の下端内周に連設される底壁６と、注出筒５の外周の所定の位置に上壁７を介して連設される係合筒８と、係合筒８の下端に連設される肩壁９と、肩壁９の外縁に垂設される外壁１０と、外壁１０の外側下端に切断可能な複数の弱化片１１を介して連設される封緘帯１２とを具えている。
【００１０】
底壁６には、切断溝１３が刻設されており、切断溝１３を破断することによって底壁６に注出口を形成する除去部１４が形成され、除去部１４の上面には、支柱を介してプルリング１５が設けられている。
【００１１】
係合筒８の内周には、容器本体Ａの口筒部１の係合部３と係合する係合部１６が配設され、係合筒８の内周が口筒部１外周の係合部３に係合するようになっている。
【００１２】
肩壁９は、下面が容器本体Ａの肩部２上面と係合するように角形に形成され、外壁１０の上端部には、蓋体Ｃと係合する複数の係合突部１７が形成されている。
【００１３】
外壁１０は、内側面が容器本体Ａの段部４の外側面に係合するように形成され、外側下端には複数の弱化片１１が配設される。
【００１４】
封緘帯１２は、側周の一部を切断可能な弱化部１８を残し、切込み１９で切込まれており、封緘帯１２の内側面と外壁１０の係合突部１７とで蓋体Ｃの側周壁を挟み込み、封緘するものであり、側周壁下端には複数の弱化片１１が当接される。
また、封緘帯１２の切込み１９により切込まれた側周の片方をつまみ部１２ａとする。
【００１５】
蓋体Ｃは、角形の頂壁２０と、頂壁２０の外縁に垂設される側周壁２１を具えており、頂壁２０の下面には、閉蓋した際に、中栓Ｂの注出筒５の内周上部と係合する係合内筒２２が垂設されている。
【００１６】
側周壁２１は、内周が中栓Ｂの外壁１０に係合するように形成され、側周壁２１の内周下端部には、閉蓋した際に、中栓Ｂの複数の係合突部１７と係合する係合凹部２３が配設されている。
また、側周壁２１は、蓋体Ｃを中栓Ｂから開蓋する際に、僅かに外方に変形するようになっている。
【００１７】
次に、本発明のキャップの使用態様、および作用効果について説明する。
容器の組立にあたっては、内容物を充填した容器本体Ａの口筒部１に、容器本体Ａの肩壁２と中栓Ｂの肩壁９との断面形状を合せ、中栓Ｂを装着する。
次に、中栓Ｂの外壁１０外周と蓋体Ｃの側周壁２１下端内周との断面形状を合せ、中栓Ｂの封緘帯１２と外壁１０との間に、蓋体Ｃの側周壁２１を嵌入し、中栓Ｂの係合突部１７と蓋体Ｃの係合凹部２３とを係合させ、蓋体Ｃを中栓Ｂに装着して閉蓋する。
【００１８】
本発明の容器は、中栓Ｂの封緘帯１２が、蓋体Ｃの最初の閉蓋時に、外壁１０とともに、蓋体Ｃの側周壁２１下部を挟むことで、蓋体Ｃの中栓Ｂに対する回転を阻止するとともに、中栓Ｂの外壁１０の係合突部１７と蓋体Ｃの側周壁２１の係合凹部２３との係合が外れることを防止し、蓋体Ｃが中栓Ｂに対して上方に外れることを防止している。
【００１９】
次に、容器の使用については、まず、中栓Ｂの封緘帯１２のつまみ部１２ａをつまみ、引張ることで、封緘帯１２の弱化部１８を切断するとともに弱化片１１をも切断し、図３に示すように、中栓Ｂから封緘帯１２を取り去る。
【００２０】
次に、蓋体Ｃを回転させると、中栓Ｂの係合突部１７と蓋体Ｃの係合凹部２３との係合が外れるとともに、蓋体Ｃの側周壁２１と中栓Ｂの外壁１０外周との係合が外れ、蓋体Ｃを中栓Ｂから開蓋できる。
開蓋した後、中栓Ｂの底壁６のプルリング１５を引張って除去部１４を抜き取り、底壁６に注出口を開口して容器内の内容液を出すことができる。
【００２１】
閉蓋する際には、中栓Ｂの外壁１０外周と蓋体Ｃの側周壁２１下端内周との断面形状を合せ、中栓Ｂに蓋体Ｃを装着することで、蓋体Ｃの係合内筒２２外周が中栓Ｂの注出筒５内周上部と係合し、容器内を密封することができる。
【００２２】
本願発明の容器は、中栓Ｂの封緘帯１２が蓋体Ｃの側周壁２１下部の変形を防止し、封緘帯１２を外さないと中栓Ｂから蓋体Ｃを外せないようになっている。
また、蓋体Ｃを無理に外すために回転させたり、上方に引張ると、封緘帯１２の弱化部１８が切断されたり、弱化片１２が切断されたりして開封の跡が残るようになっており、不正な開蓋を外方より確認することができる。
【００２３】
前記実施形態では、容器の外周断面が角形で形成したが、蓋体Ｃの側周壁と中栓Ｂの肩壁外縁とが係合し、開蓋するために、蓋体Ｃの下部を変形させなくては開蓋できない形式のものであれば、中栓に設けた封緘帯により蓋体の開蓋を阻止することができる。
容器の外周断面の形状は、前記実施形態の形状に限定されない。
【００２４】
前記実施形態では、中栓Ｂの外壁１０外縁に複数の係合突部１７を設け、蓋体Ｃの側周壁２１内周下端に係合突部１７に係合する係合凹部２３を配設し、係合するようにしたが、中栓Ｂの外壁１０外周に係合凹部、蓋体Ｃの側周壁２１下端内周に係合突部を配設し、係合するようしてもよい。
【００２５】
また、複数の係合突部１７の変わりに、外壁１０上端の外縁全周の係合突条とし、蓋体の側周壁２１内周に該係合突条に係合する係合凹条を設けるようにしてもよい。
係合突条および係合凹部とすることで、封緘帯により、蓋体Ｃの側周壁２１の変形を防止し、蓋体Ｃが中栓Ｂに対して上方に外れることを防止することができる。
【産業上の利用可能性】
【００２６】
本発明は、中栓に封緘帯を一体的に設けることで、蓋体の開蓋を阻止することができ、また、不正な開蓋を外方から確認することができる容器として、内容液の如何にかかわらずどのような容器にも広く利用できる。
【図面の簡単な説明】
【００２７】
【図１】本発明の容器の一部縦断面立面図である。
【図２】中栓と蓋体の開蓋時の説明図で、（ａ）は一部縦断面立面図、（ｂ）は下面図である。
【図３】中栓の封緘帯切断後の説明図である。
【符号の説明】
【００２８】
Ａ            容器本体
Ｂ            中栓
Ｃ            蓋体
１            口筒部
２            肩部
３            係合部
４            段部
５            注出筒
６            底壁
７            上壁
８            係合筒
９            肩壁
１０          外壁
１１          弱化片
１２          封緘帯
１２ａ        つまみ部
１３          切断溝
１４          除去部
１５          プルリング
１６          係合部
１７          係合突部
１８          弱化部
１９          切込み
２０          頂壁
２１          側周壁
２２          係合内筒
２３          係合凹部
【図１】
2008273581.tif 000003
【図２】
2008273581.tif 000004
【図３】
2008273581.tif 000005